(57)【要約】【課題】狭隘な作業環境下においても、Ｃ形止め輪等の軸ピンを所定の軸に対して簡単に取り付けることができるようにする。【解決手段】軸ピンを軸に取り付けるための軸ピン装着工具において、固定部１と、一端部が固定部１に着脱自在に設けられ、他端部が軸の端部に係合可能な装着部２と、一端部が固定部１に固定された第１レバー４と、装着部２の他端部が軸の端部に係合した際に軸に接近及び離隔するように、固定部１に沿って移動自在な押出し部３と、一端部が押出し部３に連結され、中間部が第１レバー４の中間部に回動自在に設けられた第２レバー５とを備える。そして、第２レバー５の他端部が第１レバー４の他端部に接近することにより、上記押出し部３が、装着部２の外周部に配置された軸ピンを押圧して、その軸ピンが装着部２の他端部側から押出されるように構成する。【選択図】図１
2011121149.tif 000002
【特許請求の範囲】
【請求項１】
Ｃ形止め輪等の軸ピンを所定の軸に取り付けるための軸ピン装着工具であって、
固定部と、
一端部が前記固定部に着脱自在に設けられ、他端部が前記軸の端部に係合可能な装着部と、
一端部が前記固定部に固定された第１レバーと、
前記装着部の他端部が前記軸の端部に係合した際に前記軸に接近及び離隔するように、前記固定部に沿って移動自在な押出し部と、
一端部が前記押出し部に連結され、中間部が前記第１レバーの中間部に回動自在に設けられた第２レバーと、
を備え、
前記押出し部は、前記第２レバーの他端部が前記第１レバーの他端部に接近することにより、前記装着部の外周部に配置された前記軸ピンを押圧して、前記軸ピンを前記装着部の他端部側から押出すことを特徴とする軸ピン装着工具。
【請求項２】
前記固定部は、円柱或いは円筒状を呈し、その外周面の所定位置に前記第１レバーを固定するための支持部が設けられ、
前記押出し部は、円筒状を呈し、中空部に前記固定部が配置されて前記固定部の軸方向に移動自在に構成され、その軸方向に、前記支持部との接触を避けるための切り欠き部が形成された
ことを特徴とする請求項１に記載の軸ピン装着工具。
【請求項３】
前記固定部及び前記押出し部の一方に、その軸方向に沿って形成されたガイド溝と、
前記固定部及び前記押出し部の他方に設けられ、前記ガイド溝内に配置されたガイド部と、
を更に備えたことを特徴とする請求項２に記載の軸ピン装着工具。
【請求項４】
前記装着部は、
一端部が、前記軸ピンの内径よりも小さな径を有し、
他端部が、前記軸ピンの内径よりも大きな径を有し、
その中間部に、前記他端部から径が徐々に小さくなるテーパ部が形成された
ことを特徴とする請求項１から請求項３の何れかに記載の軸ピン装着工具。
【請求項５】
マンコンベアのステップ軸の端部に前記軸ピンを取り付けるための軸ピン装着工具であって、
前記装着部は、他端部の端面に、前記ステップ軸の端部が収まる凹部が形成されたことを特徴とする請求項１から請求項４の何れかに記載の軸ピン装着工具。
【発明の詳細な説明】
【技術分野】
【０００１】
この発明は、Ｃ形止め輪等の軸ピンを所定の軸に取り付けるための軸ピン装着工具に関するものである。
【背景技術】
【０００２】
下記特許文献１には、Ｃ形止め輪等の軸ピンを所定の軸に対して取り付けるための装置が提案されている。
具体的に、この装置では、装着ガイド軸の外周部に設けられた軸ピンを円筒状の外筒体で押圧することにより、軸ピンを装着ガイド軸の一側から押出して、軸に取り付けている。
【先行技術文献】
【特許文献】
【０００３】
【特許文献１】特開平１１−３００６４５号公報
【発明の概要】
【発明が解決しようとする課題】
【０００４】
特許文献１に記載のものは、軸ピンの装着の自動化も考慮したものであり（引用文献１の図３等参照）、外筒体の押圧機構等を含めると装置が大型化してしまう。しかし、軸ピンの取付作業は、このように作業環境が整備された場所でのみ行われるものではなく、狭隘な作業環境下においては、上記特許文献１に記載のものでは対応できないといった問題があった。
【０００５】
この発明は、上述のような課題を解決するためになされたもので、その目的は、狭隘な作業環境下においても、Ｃ形止め輪等の軸ピンを所定の軸に対して簡単に取り付けることができる軸ピン装着工具を提供することである。
【課題を解決するための手段】
【０００６】
この発明に係る軸ピン装着工具は、Ｃ形止め輪等の軸ピンを所定の軸に取り付けるための軸ピン装着工具であって、固定部と、一端部が固定部に着脱自在に設けられ、他端部が軸の端部に係合可能な装着部と、一端部が固定部に固定された第１レバーと、装着部の他端部が軸の端部に係合した際に軸に接近及び離隔するように、固定部に沿って移動自在な押出し部と、一端部が押出し部に連結され、中間部が第１レバーの中間部に回動自在に設けられた第２レバーと、を備え、押出し部は、第２レバーの他端部が第１レバーの他端部に接近することにより、装着部の外周部に配置された軸ピンを押圧して、軸ピンを装着部の他端部側から押出すものである。
【発明の効果】
【０００７】
この発明によれば、狭隘な作業環境下においても、Ｃ形止め輪等の軸ピンを所定の軸に対して簡単に取り付けることができるようになる。
【図面の簡単な説明】
【０００８】
【図１】この発明の実施の形態１における軸ピン装着工具を示す正面図である。
【図２】図１に示す装着部の正面図である。
【図３】図１に示す固定部の正面図である。
【図４】装着部と固定部とを取り付けた状態を示す図である。
【図５】図１に示す押出し部の正面図である。
【図６】図１に示す押出し部の側面図である。
【図７】図１に示す押出し部の底面図である。
【図８】この発明の実施の形態１における軸ピン装着工具の使用方法を説明するための図である。
【図９】この発明の実施の形態１における軸ピン装着工具の使用方法を説明するための図である。
【発明を実施するための形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１における軸ピン装着工具を示す正面図である。本軸ピン装着工具は、Ｃ形止め輪等の軸ピンＣを所定の軸に取り付けるためのものである。この軸ピン装着工具は、固定部１、装着部２、押出し部３、第１レバー４、第２レバー５により、その要部が構成されている。
【００１１】
図２は図１に示す装着部の正面図、図３は図１に示す固定部の正面図、図４は装着部と固定部とを取り付けた状態を示す図、図５は図１に示す押出し部の正面図、図６は図１に示す押出し部の側面図、図７は図１に示す押出し部の底面図である。
以下に、図１乃至図７を参照し、本軸ピン装着工具の構成について具体的に説明する。
【００１２】
固定部１は、円筒（或いは、円柱）状を呈しており、その一端部の内側面にめねじ１ａが形成されている。１ｂは第１レバー４を支持するための支持部であり、固定部１の一端部側に、外周面から突出するように設けられている。また、１ｃは押出し部３を案内するために固定部１の両側に形成されたガイド溝である。このガイド溝１ｃは、固定部１の他端部側に開口するとともに、めねじ１ａに近接する所定の位置まで、固定部１の外周面にその軸方向に沿って形成されている。
【００１３】
装着部２は、全体として円筒（或いは円柱）状を呈しており、その一端部に、上記めねじ１ａに対応するおねじ２ａが形成されている。即ち、装着部２は、その一端部が固定部１の一端部に着脱自在に構成されている。また、装着部２の他端部は、軸ピンＣが取り付けられる軸の端部に係合可能な所定の構造を有している。本実施の形態に示すものでは、装着部２の他端部の端面に、軸の端部が嵌合する凹部２ｂが形成されている。
【００１４】
上記装着部２は、軸ピンＣを保持するとともに、その装着時に、軸ピンＣの内径を適切に広げる機能を備えている。具体的に、装着部２は、その一端部（即ち、おねじ２ａ側）が、軸ピンＣの内径よりも小さな径を有しており、装着部２を固定部１から取り外した際に、軸ピンＣを装着部２の一端部側からその外周部に配置することができるように構成されている。また、装着部２は、その他端部（即ち、凹部２ｂ側）が、軸ピンＣの内径よりも僅かに大きな径を有しており、更に、その中間部に、他端部から径が徐々に小さくなるテーパ部２ｃが形成されている。
【００１５】
押出し部３は、円筒状を呈しており、その中空部に上記固定部１が配置されている。この押出し部３は、固定部１に対してその軸方向に移動自在に構成されており、装着部２の他端部が軸の端部に係合した際に軸に接近及び離隔するように、固定部１に沿って移動する。３ａは第２レバー５を支持するための支持部であり、押出し部３の一端部側に、外周面から突出するように設けられている。
【００１６】
３ｂは押出し部３の両側に設けられたガイド部である。このガイド部３ｂは、押出し部３の内側面から（中空部内に）突出するように設けられており、固定部１のガイド溝１ｃ内に配置される。即ち、固定部１のガイド溝１ｃと押出し部３のガイド部３ｂとにより、押出し部３の移動を案内するためのガイド機構が構成される。なお、このガイド機構は、上記ガイド溝１ｃに相当する溝を押出し部３に、上記ガイド部３ｂに相当するガイドを固定部１に設けても構わない。
【００１７】
また、固定部１に対して移動自在に構成された押出し部３には、支持部１ｂとの接触を避けるための切欠き部３ｃが設けられている。具体的に、切欠き部３ｃは、支持部１ｂよりも僅かに大きな幅を有する溝からなり、押出し部３の他端部側に開口し、その他端部から支持部３ａに近接する所定の位置まで、押出し部３の軸方向に沿って形成されている。
【００１８】
第１レバー４及び第２レバー５は、軸ピンＣの装着時に、作業者が把持して操作する部分である。
具体的に、第１レバー４は、一端部が固定部１の支持部１ｂに溶接やビス等によって固定され、その長手が、固定部１の側方、即ち、固定部１の軸方向と直交する方向に配置されている。
【００１９】
また、第２レバー５は、一端部が押出し部３の支持部３ａに連結され、中間部が第１レバー４の中間部に回動自在に設けられている。この第２レバー５は、押出し部３の固定部１に対する移動を操作するためのものである。このため、第２レバー５は、押出し部３がそのレバー操作に対して滑らかに連動するように、例えば、一端部に設けられたピン５ａを介して支持部３ａに連結されている。即ち、支持部３ａには、第１レバー４と第２レバー５との回動中心を中心とする円弧状の孔３ｄが形成されており、第２レバー５は、ピン５ａが上記孔３ｄ内を移動自在となるように、支持部３ａに接続されている。
【００２０】
次に、図８及び図９も参照し、上記構成を有する軸ピン装着工具を使用して、軸ピンＣを軸に取り付ける動作について具体的に説明する。なお、図８及び図９はこの発明の実施の形態１における軸ピン装着工具の使用方法を説明するための図である。
図８及び図９において、６はエスカレーター等のマンコンベアで使用されるステップ軸、６ａはステップ軸６の端部に形成された取付溝である（ステップ軸６の構成については、例えば、特開２００８−２９０８０６号公報等を参照）。
【００２１】
上記構成の軸ピン装着工具を使用して軸ピンＣをステップ軸６の端部に取り付ける場合、作業者は、上述した手順により、装着部２のテーパ部２ｃの外周部に軸ピンＣを予め取り付けておく。即ち、作業者は、先ず、固定部１から装着部２を取り外す。次に、装着部２の他端部側から軸ピンＣをテーパ部２ｃの外周部に配置し、そのままの状態で装着部２を固定部１に再び取り付ける。
【００２２】
上記手順によって装着部２に軸ピンＣを保持させた後、作業者は、第１レバー４及び第２レバー５を持って装着部２の他端部をステップ軸６の端面に対向させる。そして、工具全体をステップ軸６の軸方向に移動させて、ステップ軸６の端部を凹部２ｂに嵌合させ、ステップ軸６、装着部２、固定部１（押出し部３）を一直線状に配置する。
【００２３】
次に、作業者は、ステップ軸６の端部を凹部２ｂに収めた状態で第１レバー４と第２レバー５とを強く握り締め、装着部２にある軸ピンＣを広げながら軸方向に押出して、取付溝６ａに嵌め込む。
即ち、作業者が第１レバー４及び第２レバー５を強く握ることにより、第２レバー５がＡ方向に回転し、第２レバー５の一端部が第１レバー４の一端部に、また、第２レバー５の他端部が第１レバー４の他端部に接近する。すると、この第２レバー５の回転に連動し、押出し部３がＢ方向に移動する。
【００２４】
上記移動によって押出し部３の他端部が軸ピンＣの位置に達すると、押出し部３は、その端面で軸ピンＣをステップ軸６側に押圧する。なお、上述した通り、装着部２のテーパ部２ｃは、装着部２の他端部側ほど径が大きくなっている。このため、テーパ部２ｃの所定の位置（即ち、装着部２の径が軸ピンＣの内径と一致する位置）を過ぎた後、軸ピンＣは、テーパ部２ｃの外周面によって徐々に押し広げられながらＢ方向に移動する。なお、軸ピンＣは、装着部２の他端部に達した際に開き切った状態となる。そして、軸ピンＣは、その状態から更に押出し部３がＢ方向に移動することによって装着部２の他端部側から押出され、ステップ軸６の取付溝６ａに嵌合する。
【００２５】
上記構成の軸ピン装着工具を使用することにより、マンコンベアのステップ軸６に軸ピンＣを取り付ける場合等、狭隘な作業環境下においても、軸ピンＣを所定の軸に対して簡単に取り付けることができるようになる。
【００２６】
即ち、上記構成の軸ピン装着工具であれば、図１に示す距離Ｌを小さくすることができ、軸ピンＣの装着時に軸と一直線状に配置される部分を大幅に小型化することが可能となる。狭隘な作業環境下においては、特に、軸ピンＣを装着する軸の端面と他の障害物との距離が問題になることが多いため、上記構成の軸ピン装着工具であれば、種々の作業場所での使用が可能となる。
また、上記構成の軸ピン装着工具であれば、簡単なレバー操作のみによって軸ピンＣの取付作業を行うことができる。なお、第１レバー４及び第２レバー５が軸の側方に配置されるため、狭隘な作業環境下においても、軸ピンＣを装着する際のレバー操作に支障が生じることはない。
【符号の説明】
【００２７】
１  固定部
１ａ  めねじ
１ｂ  支持部
１ｃ  ガイド溝
２  装着部
２ａ  おねじ
２ｂ  凹部
２ｃ  テーパ部
３  押出し部
３ａ  支持部
３ｂ  ガイド部
３ｃ  切欠き部
３ｄ  孔
４  第１レバー
５  第２レバー
５ａ  ピン
６  ステップ軸
６ａ  取付溝
【図１】
2011121149.tif 000003
【図２】
2011121149.tif 000004
【図３】
2011121149.tif 000005
【図４】
2011121149.tif 000006
【図５】
2011121149.tif 000007
【図６】
2011121149.tif 000008
【図７】
2011121149.tif 000009
【図８】
2011121149.tif 000010
【図９】
2011121149.tif 000011